(57)【要約】      （修正有）【課題】平地に大型水力発電装置を設営し、水が落ちる落下エネルギーに、圧縮エネルギーを加えることで発電効率を高めることを課題とする。【解決手段】第２貯水槽２内への注水が終わったら、電動弁座Ｃを閉ざし、第２貯水槽内に設けてあるとともに内部を圧縮空気で膨らませてあるゴム袋５を第２貯水槽の底部まで引き下げて、第２貯水槽内のゴム袋の体積の量だけ、流出管３を経由して第３貯水槽５５へ揚水し、円柱形の管Ｂに設けてあるスリットＡから噴出する圧縮空気が音速で吹き出し、落下中の水の落下エネルギーに、圧縮エネルギーを加えることで円柱形の管Ｂに囲まれている空間を落下している水の流速を増大させて理論水力の効率を高め、動圧の増加で反動水車のランナへの圧力を増大させることで水車効率を高めて発電効率を高める。【選択図】図１
2018076861.tif 000002
【特許請求の範囲】
【請求項１】
第１貯水槽（１）に包まれて、第１貯水槽（１）から供給された水を蓄えている円筒形の第２貯水槽（２）内の水を、第２貯水槽（２）の最上部で第２貯水槽（２）に連結されている流出管（３)を経由して第２貯水槽（２）の上方にあるとともに流出管（３)の流出口が設けてある流出管（３)の斜め下にある第３貯水槽（５５）へ押し出す揚水機構と、
第３貯水槽（５５）の底部に設けてある水圧鉄管（４４）と連結してあるとともに発電機に連結してある反動水車とを備えた発電装置と、
前記揚水機構は、圧縮空気で膨らんでいるゴム袋（５）が第２貯水槽（２）内に引き下げられることによって、第２貯水槽（２）内に流入したゴム袋（５）の体積の分だけ、第２貯水槽（２）内の水が上昇させられ、流出管（３）を経由して第３貯水槽（５５）へ押し出す揚水機構であって、
第３貯水槽（５５）の底部から地表まで同心円状の円筒形の水圧鉄管（４４）を設け、前記同心円状の鉄管は外側は円筒形の管Ａ（４５）、中側は円柱形の管Ｂ（４６）で構成され、
前記円柱形の管Ｂ（４６）に第３貯水槽（５５）の底部から反動水車の中心部の高さまで微細なスリットＡ（４８）を円柱形の管Ｂ（４６）の円筒形の管Ａ（４５）と対面している側から斜め下の水圧鉄管（４４）の中心部に向かって渦巻状に設け、前記円筒形の管Ａ（４５）と円柱形の管Ｂ（４６）との間の空間の上部から下部へ圧縮空気を注入し、前記圧縮空気が前記スリットＡ（４８）から水圧鉄管（４４）の中心部へ噴出し、この圧縮空気が音速コンダクタンスに達し、３４０ｍ／秒で噴出することで前記円柱形の管Ｂ（４６）に囲まれている空間を落下している水の落下エネルギーに圧力エネルギーを加えることで発電効率をアップさせる機能を有することからなる水力発電装置。
【請求項２】
前記円柱形の管Ｂ（４６）に複数並んでいるスリットＡ（４８）の垂線上の間隔は垂直方向に一定の間隔を有していることを特徴とする請求項１記載の水力発電装置。
【請求項３】
さらに前記円筒形の管Ａ（４５）と円柱形の管Ｂ（４６）との間の空間の上部から下部へ圧縮空気を注入すると、前記スリットＡ（４８）から飛び出す圧縮空気は音速コンダクタンスに達し、音速で水圧鉄管（４４）の中心部へ噴出することを特徴とする請求項１記載の水力発電装置。
【請求項４】
さらに、一番上にあるスリットＡ（４８）から音速の３４０ｍ／秒で噴出した圧縮空気が一定の距離下降すると一番上にあるスリットＡ（４８）の直下にある上から2番目のスリットＡ（４８）から３４０ｍ／秒の圧縮空気が合流することにより、風力が増し、スリットＡ（４８）から噴出した圧縮空気は落下すればする程上記垂直方向に並んでいる複数のスリットＡ（４８）から３４０ｍ／秒の圧縮空気が新たに合流することにより風力が増すことを特徴とする請求項１記載の水力発電装置。
【請求項５】
第3貯水槽の底部から落下する水は円柱形の管Ｂ（４６）に囲まれている空間を落下することを特徴とする請求項１記載の水力発電装置。
【請求項６】
第3貯水槽の底部から落下する水の位置エネルギーが落下エネルギーに変わり、前記落下エネルギーに前記スリットＡ（４８）から噴出する圧縮空気による圧力エネルギーで前記落下エネルギーが増大し、水の流速が増大することを特徴とする請求項１記載の水力発電装置。
【請求項７】
さらに、落下すればする程前記複数のスリットＡ（４８）からの風力が増して、落下エネルギーに対する圧力エネルギーは増大し、水が落下すればする程増大する落下エネルギーにより水の流速が増大することを特徴とする請求項１記載の水力発電装置。
【請求項８】
さらに、前記落下すればする程風力が増すスリットＡ（４８）から噴出した圧縮空気の力で前記円柱形の管Ｂ（４６）に囲まれている空間を落下している水の動圧が増大し、この水が反動水車に達すると強力な衝動作用となって反動水車のランナへの圧力を増大させて水車効率をアップさせることを特徴とする請求項１記載の水力発電装置。
【請求項９】
スリットＡ（４８）の左右から噴出した圧縮空気の力で前記円柱形の管Ｂ（４６）に囲まれている空間を落下している流速が増大した水は円柱形の管Ｂ（４６）の中心部で衝突し、噴流が発生し、この噴流は引き込むべき外部の流体がないので、コアンダ効果により、傍にある円柱形の管Ｂ（４６）の壁に引き込まれ、水は円柱形の管Ｂ（４６）に囲まれている空間に広がり、水流断面積が大きくなることを特徴とする請求項１記載の水力発電装置。
【請求項１０】
前記発電効率をアップさせる機能は、円柱形の管Ｂ（４６）に囲まれている空間を落下している水の流速を増大させて理論水力の効率を高め、動圧の増加で反動水車のランナへの衝動作用を増大させ、水車効率をアップさせて発電効率を高めることを特徴とする請求項１記載の水力発電装置。
【請求項１１】
さらに前記円筒形の管Ａ（４５）と円柱形の管Ｂ（４６）との間の空間に注入された圧縮空気は地表に達したら、ホースＡで水圧鉄管（４４）の外にある空気タンクＢ（２１）に保存されることを特徴とする請求項１記載の水力発電装置。
【請求項１２】
前記タンクＢ（２１）に保存された圧縮空気はプレフィルタ―で固形不純物、水分等を除去して増圧器で０．６ＭＰＡの圧縮空気に増圧されて空気タンクＡ（１１）に移送されて再利用されることを特徴とする請求項１記載の水力発電装置。
【発明の詳細な説明】
【技術分野】
【０００１】
本発明は、平地に設けられる水力発電装置に関するものである。
【背景技術】
【０００２】
水力発電の発電効率を高める発明に特許文献１の「特開2016-075256」がある。
特許文献１は段落０００２〜段落０００６に記載されている様に「マイクロ水力発電システム」の発明であり、大型水力発電装置には適用出来ないという欠点があった。
本発明は大型水力発電を可能にする発明であり、特許文献１とは異なる発明である。
【先行技術文献】
【特許文献】
【０００３】
【特許文献１】特開2016-075256
【発明の概要】
【発明が解決しようとする課題】
【０００４】
そこでこの発明は、上記の事情に鑑みてなされたものであり、平地に大型水力発電装置を設営し、水が落ちる落下エネルギーに、圧縮エネルギーを加えることで発電効率を高めることを課題とする。
【課題を解決するための手段】
【０００５】
第２貯水槽（２）内への注水が終わったら、電動弁座Ｃ（４３）を閉ざし、第２貯水槽（２）内に設けてあるとともに内部に圧縮空気で膨らませてあるゴム袋（５）を第２貯水槽（２）の底部まで引き下げて、第２貯水槽（２）内のゴム袋（５）の体積の量だけ、流出管（３）を経由して第３貯水槽（５５）へ揚水し、円柱形の管Ｂ（４６）に設けてあるスリットＡから噴出する圧縮空気が音速で吹き出し、落下中の水の落下エネルギーに、圧縮エネルギーを加えることで円柱形の管Ｂ（４６）に囲まれている空間内を落下している水の流速を増大させて理論水力の効率を高め、動圧の増加で反動水車のランナへの圧力を増大させることで水車効率を高めて発電効率を高めることで課題を解決している。
【発明の効果】
【０００６】
我が国のエネルギー資源の自給率は異常に低く、過去幾度となく供給不安に遭遇しており、その都度自給率アップが叫ばれたが未だ解決策を見出せていない。
エネルギー資源の自給率アップは我が国の宿願であり、本発明により、この宿願が軽減される可能性がある。
【図面の簡単な説明】
【０００７】
【図１】は揚水装置の概念図
【図２】は第２貯水槽と第１貯水槽の概念図
【図３】はゴム袋（５）が引き下げられる直前の第２貯水槽（２）に連結されている注水管（４２）、電動弁座Ｃ（４３）、吸出管（２０）、ゴム袋（５）の概念図。
【図４】は第３貯水槽（５５）と対面している位置に並んでいる第２貯水槽（２）の半円周縁に設けてある流出管（３）
【図５】は水圧鉄管内の装置の概念図
【図６】は水圧鉄管内の円筒形の管Ａ（４５）,円柱形の管Ｂ（４６）、継手棒（４７）の位置関係の概念図。
【図７】は頂上部が円環状になっている第３貯水槽を支持するのに充分な強度のある円筒形の建造物。
【発明を実施するための形態】
【０００８】
反動水車はフランシス水車とし、図1〜図７を使って、円筒形の建造物（５４）の横にある段落００１４で構成される揚水装置を１セットとして、1セットの揚水装置と水圧鉄管１本と、水圧鉄管と連結されている1台の水車に連結されている1台の発電機によって、本発明で電気の生成が可能であることを説明するとともに、本発明に関する請求項以外の項目について上記の電気を生成する場合の各装置に使用される小数点以下３桁目を四捨五入した数値を使用して説明し、作動行程も述べる。
【０００９】
以下本発明に関する請求項以外の項目について述べる。
【００１０】
本発明での電源
本発明の電源は本発明とは別の揚水方法の水力発電装置で生成された電気が使用され、ＣＯ2発生はゼロなので、駆動源の電気から本発明で発生される電力までの全てがクリ−ンエネルギーの発電装置となる。
【００１１】
圧縮空気生成装置
本発明には圧縮空気生成装置が設けてある。
空気圧縮機で０．８ＭＰＡの圧縮空気を生成し、空気タンクＡ（１１）に０．６ＭＰＡの圧縮空気として貯蔵してある。
空気タンクＡ（１１）には前記空気圧縮機で生成された０．６ＭＰＡの圧縮空気と、水圧鉄管（４４）を構成している円筒形の管Ａ（４５）と円柱形の管Ｂ（４６）との間の空間に注入された０．６ＭＰＡの圧縮空気が地表に達した後、ホースＡで水圧鉄管（４４）の外にある空気タンクＢ（２１）に保存され、この圧縮空気をプレフィルタ―で固形不純物、水分等を除去して増圧器で０．６ＭＰＡの圧縮空気に増圧されて空気タンクＡ（１１）に移送して再利用される０．６ＭＰＡの圧縮空気とが貯蔵されている。
【００１２】
第１貯水槽
第１貯水槽（１）の深さは地下７ｍで、水は地下１ｍ〜７ｍにある複数の円形の水路で構成され、前記水路は第２貯水槽（２）を巡る形で設置されている。
図２は第２貯水槽（２）と第１貯水槽（１）の概念図であるが、
第２貯水槽（２）の外周には上下2段に複数の注水管（４２）が設けてあり、地下１．４６ｍ〜地下３ｍにある上の段には、複数の箇所に複数の注水管（４２）が設けてあり、下の段は地下４．４６ｍ〜地下６ｍにあり、上の段の直下に複数の箇所に複数の注水管（４２）が設けてある。
図３はゴム袋（５）が引き下げられる直前の第２貯水槽（２）に連結されている注水管（４２）、電動弁座Ｃ（４３）、吸出管（２０）、ゴム袋（５）の概念図であり、図３において、注水管（４２）には電動弁座Ｃ（４３）が設置してあり、電動弁座Ｃ（４３）が開けてある時だけ注水が行われる。
注水管（４２）の第２貯水槽（２）と連結されている部分には出口が広がっているラッパ状の吸出管（２０）が設置され、吸出管（２０）の第２貯水槽（２）への流出口は外径１．５４ｍ、内径１．５ｍである。
注水管（４２）を通過した水は吸出管に入った時、ラッパ型の形状から急激に膨張しようとする。そのため、水圧が急激に低下し、一種の低圧状態を形成し、これは後続の水にとって、吸引力として働き、落差と同じ事になり、水の持つ速度エネルギーを位置エネルギーとして回収する事と同じになり、注入速度が速まる。
【００１３】
第２貯水槽
第２貯水槽（２）は外径３５ｍ、内径３４．９ｍの円筒形の容器で、第２貯水槽（２）の底面は鉄床Ｂ（９）であり、第１貯水槽（１）の水面より12ｍ低い位置の地下13ｍにあり、第２貯水槽（２）の内径から５ｃｍ離れた位置に合成繊維で作られているネットが設けてあり、前記ネットは第２貯水槽（２）の内径に設けてある複数のフックに結わえてある紐に連結されている。
前記ネットは第２貯水槽（２）内を上下に移動するゴム袋（５）が第２貯水槽（２）内の内径と直接接触するのを防ぐ役割を果たす。
第２貯水槽（２）の外径の高さは地上６９ｍで、図４に示す様に第３貯水槽（５５）と対面している第２貯水槽（２）の高さ６０ｍ〜６３ｍの円弧状の壁面に外径３ｍ、内径２．９７ｍの流出口を持つ流出管（３）が１５台設けられ、第２貯水槽（２）から押し出された水は高さ６０ｍ〜６３ｍの流出管（３）から高さ５８．５ｍの第３貯水槽（５５）へ注入される。
図１に示す様に、第２貯水槽（２）の内部には０．６ＭＰＡの圧縮空気が注入されているゴム袋（５）が設営されている。
上記ゴム袋（５）の引き下げ、引き上げのためにゴム袋（５）の底面の円周縁と天井の円周縁に角度６０度づつ離れて６本のロープと交流三相誘導電動機（６）が６機設置されており、６機の交流三相誘導電動機（６）と６本のロープは装置、作動等全て同一なので１本のロープについてのみ詳述し他は省略する。
前記ゴム袋（５）は直径３４．８ｍ、長さ８２ｍの円柱形で、ゴム袋（５）の底面の円周縁にロープが設置され、前記ロープは図１に示す第２貯水槽（２）の底面の鉄床Ｂ（９）にあるそらせ車Ａ（１４）を通って上記ネットと第２貯水槽（２）の内径の間を通って上へ伸びて第２貯水槽（２）の外径の頭頂部にあるそらせ車Ｂ（１５）を通って下へ伸びて交流三相誘導電動機（６）の回転軸が延長されている軸にある巻き取り機L1（７）に結わえられている。
ゴム袋（５）の天井の円周縁にもロープが設置され、このロープは第２貯水槽（２）の外径の頭頂部にあるそらせ車Ｃ（１６）を通って下へ伸びて前記交流三相誘導電動機（６）の回転軸が延長されている軸にある前記巻き取り機Ｌ１（７）とは離れている場所にある巻き取り機Ｌ２（８）に結わえられている。
【００１４】
本発明の揚水装置の概観と揚水方法。
図１は本発明の揚水装置の概観であり、第２貯水槽（２）は、外径３５ｍ、内径３４．９ｍ、高さ６９ｍの円柱形の容器である。
第２貯水槽（２）内に注水されている水は第２貯水槽（２）の底面の鉄床Ｂ（９）から６ｍ上までの深さ６ｍなので、ゴム袋（５）を６ｍ引き下げると揚水は終了する。
第２貯水槽（２）内への注水が終わると、電動弁座Ｃ（４３）を閉じて、交流三相誘導電動機（６）を反時計回りに回転させ、巻き取り機Ｌ１（７）でロープを巻き取ると、第２貯水槽（２）の底面より６ｍ上にあるゴム袋（５）が下方へ引き下げられ、アルキメディスの原理によりゴム袋（５）が第２貯水槽（２）内の水内に入り込んだ体積分だけ第２貯水槽（２）内の水位は上昇し、第２貯水槽（２）の高さ６３ｍまで水位が上昇すると図４に示す第３貯水槽（５５）と対面している高さ６０ｍ〜６３ｍの位置に並んでいる第２貯水槽（２）の半円周縁に設けてある外径３ｍ、内径２．９７ｍの１５個の流出管（３）から高さ５８．５ｍの第３貯水槽（５５）へ水が注入される。
第２貯水槽（２）の外径は高さ６９ｍで、ゴム袋（５）で押し出された第２貯水槽（２）内の水は６９ｍまで上昇可能であるがゴム袋（５）と、第２貯水槽（２）の垂直方向の壁との間にある水の水位は電子セオドライトと光波距離計を組み合せたトータルステーションで観察され、水位が６３ｍを超えると、交流三相誘導電動機（６）を停止させたり、稼働させて水位が６３ｍ〜６８ｍの間にある様に調整される。
ゴム袋（５）が６ｍ引き下げられると揚水は終了する。
この時、ゴム袋（５）が第２貯水槽（２）内に入りこむ体積をXｍ3とすると
式Xｍ3＝３．１４×（３４．８×３４．８×６）１／４が成立し、Xｍ3＝３．１４×７２６６．２４×１／４＝５７０３．９９８ｍ3≒５７００ｍ3となり、1回の揚水量は５７００トンである。
揚水が終了すると、交流三相誘導電動機（６）は時計回りに回転し、図１に示す交流三相誘導電動機（６）の回転軸が延長されている軸の巻き取り機Ｌ１（７）に結わえられていたロープは解き放され、巻き取り機Ｌ２（８）にロープが巻き取られ、ゴム袋（５）が６ｍ引き上げられると引き上げは終了し、第２貯水槽（２）の内径とゴム袋（５）との間にあった水    ３．１４×７６ｍ（３４．９×３４．９−３４．８×３４．8）１／４＝3.14×７６ｍ（６．９７）１／４＝４１５．８３ｍ3≒４１６ｍ3は第２貯水槽（２）の底面に落下し、電動弁座Ｃ（４３）を開けての次回の注入では第１貯水槽（１）の水が前記４１６ｍ3の水の上に注入され、第２貯水槽（２）の底面の６ｍ上まで注入されると次の揚水作動が行われる。
【００１５】
第３貯水槽
図７において、頂上部が円環状になっていて膨大な水を蓄えている第３貯水槽（５５）を支持するのに充分な強度のある円筒形の建造物（５４）が設けられ、建造物（５４）の横には  段落００１４に記載の方法で実現される揚水装置を1セットとして1セットの揚水装置が設けられている。
円筒形の建造物（５４）の外径は３０ｍ、内径２０ｍ、厚さ１０ｍの同心円状の円筒形で高さは４０ｍであり、その上に円環状の第３貯水槽（５５）が設けてある。
第３貯水槽（５５）の垂直方向の壁は厚さ１ｍ、底部は厚さ２ｍになっていて、広さは外径５０ｍ、内径４９ｍ、高さ５８．５ｍ、深さ１６．５ｍの貯水槽で、水は高さ４２ｍから５７．５ｍまでの１５．５ｍに貯えられている。
第３貯水槽（５５）の貯水量は  ３．１４×４９×４９×１５．５×１／４＝２９２１４．１７≒２９０００トンである。
第３貯水槽（５５）の底部には、電動弁座Ｄ（５７）が設けてあるとともに、底部と連結されている内径１．３７ｍの水圧鉄管（４４）が１本設定されており、水圧鉄管（４４）の直下には中心の高さが５ｍのフランシス水車が1台あり、水圧鉄管（４４）内を落下する水は高さ４０ｍから３５ｍ下のフランシス水車に落下し、フランシス水車と連結されている発電機で発電する。
【００１６】
以下請求項について説明する。
水圧鉄管内の装置について  
同心円状の円筒形の管Ａ（４５）と円柱形の管Ｂ（４６）から成る水圧鉄管（４４）が第３貯水槽（５５）の底部から地表まで設営され、図５に示す様に外側の同心円を構成している円筒形の管Ａ（４５）と複数の箇所で円筒形の管Ａ（４５）に継手棒Ａ（４７）で接続されている中側の同心円を構成している円柱形の管Ｂ（４６）が設けてある。
円筒形の管Ａ（４５）の外径は１４１ｃｍ、内径は１３７ｃｍであり、円柱形の管Ｂ（４６）は円筒形の管Ａ（４５）の内径から水圧鉄管（４４）の中心部に向かって４ｃｍの距離を持ち、２ｃｍの厚みがある円柱形の管であり、図６に示す様に厚み２ｃｍの円柱形の管Ｂ（４６）の壁には0.2ミリ幅のスリットＡ（４８）を円柱形の管Ｂ（４６）の円筒形の管Ａ（４５）と対面している側から斜め下の水圧鉄管（４４）の中心部に向かって渦巻状に、斜め下方向45度の角度に設けてあり、同一垂線上にあるスリットＡ（４８）の上下の間隔は０．５２mで、スリットＡ（４８）は第３貯水槽（５５）の底部４０ｍからフランシス水車の中心部の高さ５ｍまでの３５ｍに６７個設けてある。
・  ６ＭＰＡの圧縮空気が図６に示す円筒形の管Ａ（４５）と円柱形の管Ｂ‘４６）との間にある空間の上部から注入される。円筒形の管Ａ（４５）と円柱形の管Ｂ（４６）の間隔は４ｃｍ、スリットＡ（４８）は0．2ミリなので、スリットＡ（４８）からの圧縮空気は音速コンダクタンスに達し、図５に示す円柱形の管Ｂ（４６）から水圧鉄管（４４）の中心部方向の空間へ音速の速度 で噴出する。
第３貯水槽（５５）の底部から落下する水は図５に示す円柱形の管Ｂ（４６）に囲まれている空間を落下する。
円筒形の管Ａ（４５）と円柱形の管Ｂ（４６）の間に出来た空間を通過していた圧縮空気は、地表に達するとホースＡで水圧鉄管（４４）の外にある空気タンクＢ（２１）に保存され、プレフィルタ―で固形不純物、水分等を除去して増圧器で０．６ＭＰＡの圧縮空気に増圧されて空気タンクＡ（１１）に移送されて再利用される。
【００１７】
「理論水力と水車効率をアップさせて発電機出力を増大させる」説明。
円筒形の管Ａ（４５）と円柱形の管Ｂ（４６）の間に出来た空間へ０．６ＭＰＡの圧縮空気を注入すると、一番上にあるスリットＡ（４８）から音速で噴出する０．６ＭＰＡの圧縮空気は図５に示す円柱形の管Ｂ（４６）に囲まれている空間に３４０ｍ／秒の風速で噴出する。
この圧縮空気が０．５２ｍ下方へ到達すると一番上にあるスリットＡ（４８）の垂直方向の真下にある二番目のスリットＡ（４８）から新たに３４０ｍ／秒の風速の風が合流する。
スリットＡ(４８)は高さ４０ｍから５ｍまで設置され、同一垂線上にある吹き出し口は０．５２ｍ間隔で６７箇所並んでいて、３４０ｍ／秒の風速で噴出する。
スリットＡ(４８)の左右の距離は１２５ｃｍしか離れていないので、上記６７箇所の一番上のスリットからの圧縮空気は、０．５２ｍ落下する毎に１２５ｃｍ離れている２か所から３４０ｍ／秒の風速が合流し、風力は急速に大きくなっていく。
第３貯水槽（５５）の底部から落下する水は図５に示す円柱形の管Ｂ（４６）に囲まれている空間を落下する。
落下し始めた水の位置エネルギ―は落下エネルギーに変わるが、落下中の水は上記風力が増した圧縮下エネルギーの力を０．５２ｍ落下する毎に受け、圧縮下エネルギーが大きくなるのに連れて水の落下エネルギーも増加し、水の流速と動圧の増大はその度に累積され、フランシス水車に達する。
左右のスリットＡ（４８）から出た圧縮空気は水の流速を増大させ、この水は圧縮空気の噴出位置の斜め下１７７ｃｍ付近で衝突し噴流が生れる。
この噴流は引き込むべき外部の流体がないので、コアンダ効果により、そばにある円柱形の管Ｂ（４６）の壁の方に引き込まれ、水は円柱形の管Ｂ（４６）の内径に広がり水流断面積が広がる。
水流断面積が広がり、流速の増加が累積されるので理論水力のアップが可能になり、累積された動圧の増加でフランシス水車のランナへの圧力を増大させ水車効率をアップさせて発電機出力が増大された電気が生成される。    
【符号の説明】
【００１８】
１＝第1貯水槽
２＝内部に水を蓄えている円筒形の第２貯水槽
3＝流出管
５＝ゴム袋
６＝交流三相誘導電動モーター
７＝交流三相誘導電動モーター（６）の回転軸が延長された軸に設けられている巻き取り機Ｌ１
８＝交流三相誘導電動モーター（６）の回転軸が延長された軸に設けられている巻き取り機Ｌ２
９＝鉄床Ｂ
１１＝空気タンクＡ
１４=そらせ車Ａ
１５＝そらせ車Ｂ
１６＝そらせ車Ｃ
２０＝吸出管
２１＝空気タンクＢ
４２＝注水管
４３＝吸出管と第１貯水槽（１）の間にある電動弁座Ｃ
４４＝水圧鉄管
４５＝円筒形の管Ａ
４６＝円柱形の管Ｂ
４７＝継手棒
４８＝スリットＡ
５４＝円筒形の建造物
５５＝第３貯水槽
５７＝第３貯水槽の底部にある電動弁座Ｄ
【図１】
2018076861.tif 000003
【図２】
2018076861.tif 000004
【図３】
2018076861.tif 000005
【図４】
2018076861.tif 000006
【図５】
2018076861.tif 000007
【図６】
2018076861.tif 000008
【図７】
2018076861.tif 000009